(57)【要約】      （修正有）【課題】運搬、保管や設置のための特別なスペースを要せず、小型の商品にもそれぞれ簡単に配置でき、更に、簡単な工程で製造できて低コストの、僅かな外力によって揺動する表示効果に優れる表示札を提供する。【解決手段】被貼付物２０に貼付して表示を行う表示札であって、長尺フィルム体を基体とし、該被貼付物に貼着される貼着部６Ｘと、該貼着部から延出された支持腕部７Ｘとを含み、該支持腕部に表示部８Ｘが設けられ、該貼着部が貼着された状態で、該支持腕部が自立的に保持される貼着表示札であり、前記貼着部が貼着された状態で、前記支持腕部が外力による撓みから自身の弾性で復元振動する貼着表示札であり、前記支持腕部にくびれ１６又は孔を有する貼着表示札である。更に、前記貼着部と前記支持腕部との間の位置で前記基体に折り目誘発部が形成された貼着表示札である。【選択図】  図１１
2005017901.tif 000002
【特許請求の範囲】
【請求項１】
被貼付物に貼付して表示を行う表示札であって、該被貼付物に貼着される貼着部と、該貼着部から延出された支持腕部とを含み、該支持腕部に表示部が設けられ、該貼着部が貼着された状態で、該支持腕部が自立的に保持される貼着表示札。
【請求項２】
長尺フィルム体を基体とし、前記貼着部が該長尺フィルム体の一の端部に、前記支持腕部が該長尺フィルム体の長手方向中間部に、前記表示部が該長尺フィルム体の他の端部にそれぞれ設けられた請求項１に記載の貼着表示札。
【請求項３】
前記長尺フィルム体の長手方向に折り筋が形成された請求項２に記載の貼着表示札。
【請求項４】
１の前記貼着部から延出された複数の前記支持腕部を備える請求項１乃至３のいずれかに記載の貼着表示札。
【請求項５】
前記貼着部が貼着された状態で、前記支持腕部が外力による撓みから自身の弾性で復元振動することを特徴とする請求項１乃至４のいずれかに記載の貼着表示札。
【請求項６】
前記支持腕部にくびれ又は孔を有する請求項１乃至５のいずれかに記載の貼着表示札。
【請求項７】
前記貼着部と前記支持腕部との間の位置に形成された折り目で折られた請求項１乃至６のいずれかに記載の貼着表示札。
【請求項８】
前記折り目が前記支持腕部の延出方向と鋭角をなす請求項７に記載の貼着表示札。
【請求項９】
前記貼着部と前記支持腕部との間の位置で折り目誘発部が形成された請求項１乃至８のいずれかに記載の貼着表示札。
【請求項１０】
前記支持腕部の他の端部に第二の貼着部が設けられ、該第二の貼着部に前記表示部が貼着された請求項１乃至９のいずれかに記載の貼着表示札。
【発明の詳細な説明】
【０００１】
【発明の属する技術分野】
本発明は、任意の場所に簡単に取り付けることができる商品情報表示用の表示札に関する。
【０００２】
【従来の技術】
商品に簡単に取り付けできる商品情報表示用の表示札としては、図２１に示すような広告用札１１０が使用されていた。この広告用札１１０は、紙又は薄い合成樹脂フィルムを短冊状に切り抜き、商品１０１に取り付けるようになっており、商品１０１の首部１０１ａの径より少し大きい円形状の切り抜き穴１１０ｃを設けた係止部１１０ａと、下方に広告内容を記載する広告記載部１１０ｂとより構成されている。この広告用札１１０は、前記係止部１１０ａと広告記載部１１０ｂとの間に折り曲げ部１１０ｄを設け前記係止部１１０ａの切り抜き穴１１０ｃを首部１０１ａに通すことにより、吊り下げ式として使用する（例えば特許文献１参照）。
【０００３】
あるいはまた、首部のない商品に付ける広告用札として、図２２に示すような広告用札１３０がある。この広告用札１３０は、紙又は薄い合成樹脂フィルムを短冊状にカットした竿部１３０ｃと、その竿部１３０ｃの上方には裏面に粘着剤を塗布してある接着部１３０ａと、竿部１３０ｃの下方には広告内容を記載する広告表示部１３０ｂと、より構成されている。前記接着部１３０ａを商品（容器）１０２の蓋１０１ｃに貼り付けると、広告表示部１３０ｂの重みによって竿部１３０ｃが曲がり、商品１０２の側面に広告表示部１３０ｂがぶら下がる（例えば特許文献２参照）。
【０００４】
又、竿部１３０ｃを補強して、広告表示部１３０ｂの重みによって竿部１３０ｃがゆるやかに前方にしなるようにした態様も開示されている（例えば特許文献３参照）。
【０００５】
しかし、図２１に示した吊り下げ式の広告用札１１０では、広告内容を記載した広告表示部１１０ｂが商品１０１に沿うことになり平面的であり、首部のない容器、例えば茶筒などには使用できなかった。図２２に示した広告用札１３０では、広告表示部１３０ｂが重ければ容器１０１に沿って垂れ下がるため、平面的になってしまう。竿部１３０ｃを補強して、広告表示部１３０ｂの重みによって竿部１３０ｃがゆるやかに前方にしなるようにした態様においても、広告表示部１３０ｂは商品（容器）１０２の前方の面に略平行に垂れ下がるため、広告表示部１３０ｂは側面からは目立たない。
【０００６】
更に、目立った表示効果を目的とし、僅かな外力によって揺動し、店内で商品の広告又は装飾等を助長する表示具として、基台から着脱用取付部を介して立設する立設揺動杆と、立設揺動杆に吊り下げる吊り下げ体とより成り、吊り下げ体に商品情報や装飾が付加された表示具体が開示されている（例えば特許文献４参照）。しかし、このような表示具は金属製の多くの部品から組み立てられて構成されており、僅かな外力によって揺動し、店内で商品の広告又は装飾等を助長する目的は達せられるものの、設置のためにかなりのスペースを要し、又、小型の商品のそれぞれに配置するには大きすぎる。更に、数多くの個数を配置するには高価である。更にかさだかで運搬、保管に大きなスペースを要する。
【０００７】
【特許文献１】
特開２００３−４３９１９号公報（第７図）
【特許文献２】
特開２００３−４３９１９号公報（第９図）
【特許文献３】
特開２００３−４３９１９号公報（第１頁）
【特許文献４】
特開平９−２２２８５９号公報（第１図）
【０００８】
【発明が解決しようとする課題】
本発明は、これら問題点に鑑み、運搬、保管や設置のための特別なスペースを要せず、小型の商品にもそれぞれ簡単に配置でき、更に、簡単な工程で製造できて低コストの、僅かな外力によって揺動し、表示効果に優れる表示札を提供しようとする。
【０００９】
【課題を解決するための手段】
本発明の要旨とするところは、被貼付物に貼付して表示を行う表示札であって、該被貼付物に貼着される貼着部と、該貼着部から延出された支持腕部とを含み、該支持腕部に表示部が設けられ、該貼着部が貼着された状態で、該支持腕部が自立的に保持される貼着表示札であることにある。
【００１０】
前記貼着表示札は、長尺フィルム体を基体とし得、前記貼着部が該長尺フィルム体の一の端部に、前記支持腕部が該長尺フィルム体の長手方向中間部に、前記表示部が該長尺フィルム体の他の端部にそれぞれ設けられ得る。
【００１１】
前記長尺フィルム体の長手方向には、折り筋が形成され得る。
【００１２】
前記貼着表示札は、１の前記貼着部から延出された複数の前記支持腕部を備え得る。
【００１３】
前記貼着表示札は、前記貼着部が貼着された状態で、前記支持腕部が外力による撓みから自身の弾性で復元振動し得る。
【００１４】
前記貼着表示札は、前記支持腕部にくびれ又は孔を有し得る。
【００１５】
前記貼着表示札は、前記貼着部と前記支持腕部との間の位置に形成された折り目で折られ得る。
【００１６】
前記折り目は前記支持腕部の延出方向と鋭角をなし得る。
【００１７】
前記貼着表示札は、前記貼着部と前記支持腕部との間の位置で折り目誘発部が形成され得る。
【００１８】
前記貼着表示札は、前記支持腕部の他の端部に第二の貼着部が設けられ得、該第二の貼着部に前記表示部が貼着され得る。
【００１９】
【発明の実施の形態】
本発明に係る態様を図面に基づいて詳しく説明する。図１に示される本発明の貼着表示札２は、展示物又は展示ケースや陳列棚のような展示物の付帯物から成る被貼付物１に貼付して展示物に関する表示を行うものであって、被貼付物１に貼着される貼着部６と、貼着部６から延出された支持腕部７とを含み、支持腕部７に表示部８が設けられ、貼着部６が貼着された状態で、支持腕部７が自立的に保持される。表示部８には商品に関する情報や、装飾効果のある模様等が印刷されている。この構成は、長尺フィルム体１０と、長尺フィルム体１０の一端部の貼着部６に相当する部分の上面に重畳された粘着層１２と、長尺フィルム体１０の他端部の表示部８に相当する部分の上面に印刷された印刷層９とで作られる。長尺フィルム体１０は、一端を把時されて立設されたときに自立可能な剛性と、曲げに対して回復可能な弾性を有する。
【００２０】
貼着表示札２は、長尺フィルム体１０の支持腕部７に相当する部分が透明である。これにより、表示部８が空中に浮かんで見える効果があり、表示部８が揺動したときにあたかも空中を漂うように動いて人目を引きつける効果がある。
【００２１】
図１は、被貼付物１が展示商品２０であり、支持腕部７が上方に立設して自立的に保持される態様であり、図２は、被貼付物１が商品３１を収める展示ケース３２であり、貼着表示札２の支持腕部７が水平方向に張り出して自立的に保持される態様である。
【００２２】
支持腕部７には模様や文字３３が印刷されて表示部８を構成する。表示部８は着色や金属蒸着がなされていてもよい。支持腕部７に模様や文字３３が記録された貼付物が貼付されて表示部８を構成してもよい。
【００２３】
貼着表示札２は、被貼付物１に剥離可能に貼着されて用いられる。このため、貼着部６が粘着層１２を備える。
【００２４】
図３（ａ）は、貼着表示札２の断面模式図である。なお、長尺フィルム体１０が透明な場合は、印刷層９を鏡像印刷とすることなどにより、粘着層１２と印刷層９とを長尺フィルム体１０のそれぞれ表裏別の面に設けることも可能である。
【００２５】
図４は、展示商品２０の前面に貼着されて用いられる貼着表示札２ｆである。図３（ｂ）は、貼着表示札２ｆの断面模式図である。貼着表示札２ｆにおいては、粘着層１２が貼着表示札２とは反対側の面に備えられる。なお、長尺フィルム体１０が透明な場合は、印刷層９を鏡像印刷とすることなどにより、粘着層１２と印刷層９とを長尺フィルム体１０の同じ面に設けることも可能である。
【００２６】
本発明においては、支持腕部７等の表示部を自立的に保持する支持腕部が風等の一時的な外力で曲げ変形して撓むと、その撓みから自身の弾性で復元し振動する。この復元振動により、表示部が、矢印Ａに示すように前後に揺動する。この揺動により、表示部が人目を引きつける。
【００２７】
支持腕部は表示部を自立的に保持するため、所定の剛性を有することが必要である。支持腕部の素材が剛性を有するものであってもよいが、図５に示す貼着表示札２ｖのように、貼着表示札２ｖを構成する長尺フィルム体１０ｖに、長手方向に断面略Ｖ字あるいは略Ｕ字状の折り筋９０が形成されているものであってもよい。長尺フィルム体１０ｖが薄いものであっても、折り筋９０により、支持腕部７ｖは長手方向と直交する直線を軸とする曲げに対して高い剛性を示し、表示部８ｖを自立的に保持することが出来る。長尺フィルム体は、長手方向に延出するリブを設けて曲げに対して補強されてもよい。
【００２８】
本発明の他の態様においては、図６に示すように、貼着表示札２は折り目１４を貼着部６と支持腕部７との境界線として略直角に折り曲げられ、貼着された状態で貼着部６から支持腕部７が上方に立ち上がる。
【００２９】
本発明の更に他の態様においては、図７に示すように、貼着表示札２ａが折り目１４ａを貼着部６ａと支持腕部７ａとの境界線として略直角に折り曲げられ、貼着された状態で貼着部６ａから支持腕部７ａが斜め上方に立ち上がる。折り目１４ａの方向は、支持腕部７ａの長手方向と鋭角をなし、その結果、支持腕部７ａの長手方向が貼着部６ａの面と斜行する。この斜行により、表示部８ａに視覚的な変化を与え、効果的な表示が出来る。
【００３０】
図８に貼着表示札２ａの折られる前の形状の平面図を示す。貼着表示札２ａにおいては、平面視矩形状の貼着部６ａの一辺から斜めに支持腕部７ａが延出され、貼着部６ａと支持腕部７ａとの境界線の部分３６に折り目１４ａ（図７）が形成されることとなる。
【００３１】
支持腕部（支持腕部７、支持腕部７ａ等）は幅が長手方向に変化するものであってもよい。図９に示す貼着表示札２ｂのように、支持腕部７ｂの貼着部６がわの端部の一部にくびれ１６が形成されていると、その部分の支持腕部７ｂの曲げ剛性が、くびれなしの場合に比べ小さくなり、貼着表示札２ｂが商品２０に貼着されたとき、支持腕部７ｂの復元振動の周期即ち表示部８の揺動の周期が視覚的に適度な刺激を与えるようにくびれ１６で調節することができる。このようにして調節された支持腕部７ｂを備えた貼着表示札２ｂは、表示部８が目立って好ましい。その周期は、０．１〜１秒である。
【００３２】
又、図１０に示すように、支持腕部７ｇの貼着部６がわの端部の一部に孔５５が形成されていると、その部分の支持腕部７ｇの曲げ剛性が、くびれなしの場合に比べ小さくなり、貼着表示札２ｇが商品２０に貼着されたとき、支持腕部７ｇの復元振動の周期即ち表示部８の揺動の周期が視覚的に適度な刺激を与えるように孔５５で調節することができる。
【００３３】
復元振動の周期は例えば図１の態様における長尺フィルム体１０の厚さ、素材の弾性率、支持腕部７の長さや幅によってもかわり、長尺フィルム体１０の厚さを薄くすること、素材の弾性率を低くすること、支持腕部７の長さを長くすること、支持腕部７の幅を長手方向全部にわたって短くすることのいずれもがこの周期を長くするように働くが、これらはいずれも支持腕部の自立性、したがって表示部８の自立性を損なうことになる場合があるので、くびれ１６や孔５５を形成することにより、適度の復元振動の周期を得ることが更に好ましい。
【００３４】
長尺フィルム体がポリエステルフィルムの場合、支持腕部７の長さは４〜２０ｃｍ、幅は０．５〜５ｃｍ、厚さは０．０３〜０．５ｍｍのそれぞれの範囲内で、試行錯誤により所定の復元振動の周期を得るように定めることが出来る。又、くびれ１６の最狭部の幅を支持腕部７ｇの幅の１０〜９０％の範囲で調節し、所定の復元振動の周期を得るように定めることが出来る。又、孔５５の幅を支持腕部７ｇの幅の１０〜９０％の範囲で調節し、所定の復元振動の周期を得るように定めることが出来る。
【００３５】
本発明の又更に他の態様においては、図１１に示すように、貼着表示札２ｘが折り目１４ａを貼着部６ｘと支持腕部７ｘとの境界線として略直角に折り曲げられ、貼着された状態で貼着部６ｘから支持腕部７ｘが斜め上方に立ち上がり、支持腕部７ｘにくびれ１６が形成されている。この斜行により、表示部８ｘに視覚的な変化を与え、かつくびれ１６により復元振動が最適化されて更に効果的な表示が出来る。
【００３６】
図１２に示すように、貼着部６６（貼着部６、貼着部６ａ等）と支持腕部７７（支持腕部７、支持腕部７ａ等）との境界線の部分３６にはミシン目状の孔３５が形成されて、折り目誘発部３４となっていることが好ましい。これにより、貼着表示札（貼着表示札２、貼着表示札２ａ等）を折り曲げたとき、折り目誘発部３４が折り目となる。図１３に示すように、貼着部６６（貼着部６、貼着部６ａ等）と支持腕部７７（支持腕部７、支持腕部７ａ等）との境界線の部分３６に溝３７が形成されて、折り目誘発部３４ａとなっていてもよい。折り目誘発部は、凸条で構成されていてもよい。図１４に示すように、境界線の部分３６の両端それぞれに形成されている切り込み３９で折り目誘発部３４ｂが構成されていてもよい。
【００３７】
図１５に本発明の更に他の態様においては、長尺フィルム体１０ｙから成る貼着表示札２ｙが、２個の表示部を備える。長尺フィルム体１０ｙの一端に位置する貼着部６ｙから支持腕部７ｙが延出され、支持腕部７ｙの延出端に表示部８ｙが設けられる。更に、表示部８ｙから第二の支持腕部７ｚが延出され、支持腕部７ｚの延出端に第二の表示部８ｚが設けられる。支持腕部７ｚの幅は支持腕部７ｙの幅より狭くなっており、これにより、第二の表示部８ｚは表示部８ｙより大きな振幅で揺動する。このように、２個の表示部がそれぞれ異なった動きをすることにより表示の効果が高まる。支持腕部７ｙ、支持腕部７ｚは透明であることが、表示部８ｙ、表示部８ｚが空中に浮遊しているような効果をもたらし、表示効果が高まって好ましい。
【００３８】
長尺フィルム体１０の素材としては、ポリエステル系樹脂、ポリ塩化ビニル系樹脂、ポリオレフィン系樹脂、ポリウレタン系樹脂、ポリアミド系樹脂等が挙げられるが、フィルム形成能を有する樹脂であればこれらに限定されない。長尺フィルム体１０の素材としては弾性に加えて靭性を有することが好ましい。この点からは、ポリエステル系樹脂、ポリ塩化ビニル系樹脂が好ましい。
【００３９】
貼着部、支持腕部、表示部の各部材は連接されていることがことが好ましいが、別々の部材が接合されていてもよい。貼着部、支持腕部、表示部の素材は透明であってもよい。不透明であってもよい。
【００４０】
支持腕部の素材としては、樹脂フィルムが自立性のための適度の剛性と復元振動のための適度の弾性を有し好ましいが、紙、不織布、金属シートが用いられてもよい。貼着部、支持腕部、表示部の各部材が連接されて長尺フィルム体１０のような１の部材から構成されることが貼着表示札を効率よく成形して製造するうえで好ましい。
【００４１】
粘着層１２は、少なくとも１種の粘着剤からなるものであり、当業者に公知でかつ非粘着性台紙を裏張したラベルに一般的に用いられる粘着層を形成し得るいずれの粘着剤あるいはそれらの２以上の組み合わせでも用いられる。例えば、天然ゴム系粘着剤、合成ゴム系粘着剤、アクリル樹脂系粘着剤、ポリビニルエーテル樹脂系粘着剤、ウレタン樹脂系粘着剤、シリコン樹脂系粘着剤などが挙げられる。アクリル樹脂系粘着剤の具体例としては、アクリル酸、アクリル酸メチル、アクリル酸エチル、アクリル酸プロピル、アクリル酸ブチル、アクリル酸２−エチルヘキシル、メタクリル酸エチル、メタクリル酸ブチル、アクリロニトリル、イタコン酸、無水マレイン酸などからなる１種以上の重合体あるいは共重合体が挙げられる。ポリビニルエーテル樹脂系粘着剤の具体例としては、ポリビニルエーテル、ポリビニルイソブチルエーテルなどが挙げられる。本発明に特に好ましく用いられるのは、アクリル樹脂系粘着剤であるが、これに限定されない。
【００４２】
上記の粘着剤にさらに必要に応じて、テルペン樹脂、スチレン樹脂などの粘着付与剤；シリカ、炭酸カルシウム、硫酸バリウムなどの充填剤；可塑剤などの軟化剤；アニリドなどの酸化防止剤；架橋剤などを配合し得る。
【００４３】
粘着層を設ける方法は特に限定されないが、例えば上記の１種以上の粘着剤を適当な溶剤に溶解させて塗布する方法、適当な媒体に分散あるいは乳化させて塗布する方法、剥離紙にあらかじめ粘着剤層を塗布形成して貼合わせる方法、両面テープを積層する方法などが挙げられる。本発明において特に好ましいのは、適当な媒体に分散させたエマルジョンを塗布、塗工、あるいは積層する方法である。エマルジョン系粘着剤の場合、ホットメルト系粘着剤と異なり、樹脂の種類が限定されず、耐候性、透明性に優れ、薄く塗布することも可能だからである。
【００４４】
貼着部６は、粘着剤にかえてデンプンのりのような水溶性の接着剤の層が重畳されていてもよい。このような水溶性の接着剤は濡らして展示商品２０のような被貼着物に貼着されて用いられる。このような水溶性の接着剤は必ずしも剥離可能に貼着されないが被貼着物の種類によっては使用が可能である。
【００４５】
本発明の貼着表示札２（２ａ、２ｂ等）は、図１６に示すように、並べて剥離台紙５０に貼着部６を貼着してラベル５２として流通過程に供されることが好ましい。ラベル５２は嵩張らず、複数枚を重畳して保管、運搬が出来る。
【００４６】
本発明の他の態様においては、図１７に示す貼着表示札２ｄのように、支持腕部７ｄと、表示部８ｄとが第二の貼着部４９を介して接着あるいは貼着されていてもよい。第二の貼着部４９は粘着性の接着剤から成る第二の粘着層６１を備え、貼着が剥離可能になされることが好ましい。これにより、表示部８ｄを状況に応じて交換出来る。
【００４７】
貼着表示札２ｄに用いられるものとして、図１８に示すように、帯体部４８を備える表示札用粘着帯体４１が好適に用いられる。帯体部４８は一の端部で粘着層１２を備えた貼着部４０に連接し、他の端部で第二の粘着層６１ｆを備えた第二の貼着部４９に連接する。貼着部４０は貼着表示札２ｄ（図１７）の貼着部６を構成することとなり、帯体部４８が支持腕部７ｄを構成することとなり、第二の貼着部４９に表示部８ｄが貼着されることとなる。この構成は、帯状フィルム体１０ｃと、帯状フィルム体１０ｃの一端部の上面に重畳された粘着層１２と、帯状フィルム体１０ｃの他端部の上面に重畳された第二の粘着層６１とで作られる。
【００４８】
図１９に示すように、表示札用粘着帯体４１は、並べて剥離台紙４５に貼着部４０と第二の貼着部４９とを貼着して貼着表示札用ラベル６０として流通過程に供されることが好ましい。このラベルは嵩張らず、複数枚を重畳して保管、運搬が出来る。
【００４９】
以上本発明の表示札の態様を説明したが、本発明はその趣旨を逸脱しない範囲で、当業者の知識に基づき種々の改良、修正、変形を加えた態様で実施し得るものであり、これらの態様はいずれも本発明の範囲に属するものである。
【００５０】
例えば、図１７に示す貼着表示札２ｄにおいて、表示部８ｄを構成する葉体の裏面に粘着層が設けられて表示部８ｄがこの粘着層を介して支持腕部７ｄと接合されてもよい。
【００５１】
更に、本発明の貼着表示札は、図２０に示す貼着表示札２ｅのように、１個の貼着部６ｅから複数の支持腕部７ｅが延出されたものであってもよい。この場合は、各支持腕部７ｅごとに各支持腕部７ｅの形状や表示部８ｅの表示内容をかえて変化をもたせることが出来る。特に、各支持腕部７ｅごとに各支持腕部７ｅの形状をかえて各支持腕部７ｅごとに復元振動の周期をかえることにより、人目を引く効果を増すことが出来る。
【００５２】
【発明の効果】
本発明の表示札は、運搬、保管及び設置のための特別なスペースを要せず、小型の多数の商品にもそれぞれに簡単に配置でき、更に、簡単な工程で製造できて低コストであり、僅かな外力によって効果的に揺動する表示札である。
【図面の簡単な説明】
【図１】本発明の貼着表示札の構成と、その貼着表示札が被貼着物に貼着されて用いられる態様の一例を示す要部斜視模式図である。
【図２】本発明の貼着表示札が被貼着物に貼着されて用いられる他の態様の一例を示す要部斜視模式図である。
【図３】図３（ａ）は、図１に示す貼着表示札の断面模式図である。図３（ｂ）は、図４に示す貼着表示札の断面模式図である。
【図４】本発明の他の態様の貼着表示札の構成と、その貼着表示札が被貼着物に貼着されて用いられる態様の一例を示す要部斜視模式図である。
【図５】本発明の又他の態様の貼着表示札の構成を示す要部斜視模式図である。
【図６】本発明の更に他の態様の貼着表示札の構成と、その貼着表示札が被貼着物に貼着されて用いられる態様の一例を示す要部斜視模式図である。
【図７】本発明の又更に他の態様の貼着表示札の構成と、その貼着表示札が被貼着物に貼着されて用いられる態様の一例を示す要部斜視模式図である。
【図８】図７に示す貼着表示札の折られる前の形状の平面図を示す。
【図９】本発明の別の態様の貼着表示札が被貼着物に貼着されて用いられる態様を示す要部斜視模式図である。
【図１０】本発明の更に別の態様の貼着表示札が被貼着物に貼着されて用いられる態様を示す要部斜視模式図である。
【図１１】本発明の又更に別の態様の貼着表示札が被貼着物に貼着されて用いられる態様を示す要部斜視模式図である。
【図１２】図１に示す本発明の貼着表示札とは異なる態様の貼着表示札を示す平面模式図である。
【図１３】図１２に示す本発明の貼着表示札とは異なる態様の貼着表示札を示す平面模式図である。
【図１４】図１３に示す本発明の貼着表示札とは異なる態様の貼着表示札を示す平面模式図である。
【図１５】図１３に示す本発明の貼着表示札とは更に異なる態様の貼着表示札を示す平面模式図である。
【図１６】本発明の貼着表示札を並べて剥離台紙に貼着したラベルの構成を示す説明図である。
【図１７】本発明の更に別の態様の貼着表示札が被貼着物に貼着されて用いられる態様を示す要部斜視模式図である。
【図１８】図１７に示す貼着表示札に用いられる本発明の表示札用粘着帯体の構成を示す平面模式図である。
【図１９】図１８に示す本発明の表示札用粘着帯体を並べて剥離台紙に貼着した貼着表示札用ラベルの構成を示す説明図である。
【図２０】本発明の貼着表示札の更に又異なる態様を示す平面模式図である。
【図２１】従来の商品情報表示用の表示札の態様の一例を示す斜視図である。
【図２２】従来の商品情報表示用の表示札の態様の他の一例を示す斜視図である。
【符号の説明】
１：被貼付物
２、２ａ、２ｂ、２ｄ、２ｆ、２ｖ、２ｘ、２ｙ：貼着表示札
６、６ａ、６ｄ、６ｅ、６ｘ、６ｙ、４０、６６：貼着部
７、７ａ、７ｂ、７ｄ、７ｅ、７ｖ、７ｘ、７ｙ、７ｚ、７７：支持腕部
８、８ａ、８ｄ、８ｅ、８ｙ、８ｚ：表示部
１２：粘着層
１４、１４ａ、１４ｂ：折り目
１６：くびれ
３４、３４ａ、３５ｂ：折り目誘発部
３５：ミシン目状の孔
３６：境界線の部分
３８：帯体部
３９：切り込み
４１：表示札用粘着帯体
４５、５０：剥離台紙
４９：第二の貼着部
５２：ラベル
６０：貼着表示札用ラベル
６１：第二の粘着層
９０：筋目
【図１】
2005017901.tif 000003
【図２】
2005017901.tif 000004
【図３】
2005017901.tif 000005
【図４】
2005017901.tif 000006
【図５】
2005017901.tif 000007
【図６】
2005017901.tif 000008
【図７】
2005017901.tif 000009
【図８】
2005017901.tif 000010
【図９】
2005017901.tif 000011
【図１０】
2005017901.tif 000012
【図１１】
2005017901.tif 000013
【図１２】
2005017901.tif 000014
【図１３】
2005017901.tif 000015
【図１４】
2005017901.tif 000016
【図１５】
2005017901.tif 000017
【図１６】
2005017901.tif 000018
【図１７】
2005017901.tif 000019
【図１８】
2005017901.tif 000020
【図１９】
2005017901.tif 000021
【図２０】
2005017901.tif 000022
【図２１】
2005017901.tif 000023
【図２２】
2005017901.tif 000024